(57)【特許請求の範囲】
【請求項１】
原稿上の画像情報をデジタル的に読み取る読取手段と、該読取手段により得られた画像データを記憶するメモリ手段と、該メモリ手段に記憶された画像データに基づいて用紙上に画像情報を形成する画像形成手段を備え、前記メモリ手段に記憶された複数の原稿の画像データを順次読み出し、前記画像形成手段において各読み出し画像デ−タの画像形成を行う制御手段を有するデジタル複写機に於いて、
ソート指定があったときに読込み回数レジスタのデータをクリアし、前記読取手段で原稿を読取って前記メモリ手段に記憶するとき、ソート指定済である場合に、前記読込み回数レジスタのデータがクリアされているときには前記メモリ手段をクリアして前記読取手段が原稿を読取った画像データを前記メモリ手段に書込んで前記回数レジスタのデータを読み込み有りを表わすデータに更新し、前記読込み回数レジスタのデータが読み込み有りを表わすデータであるときには前記メモリ手段をクリアしないで前記読取手段が原稿を読取った画像データを前記メモリ手段に追記して１原稿束とする制御手段、および、
前記読取手段で読取って前記メモリ手段に記憶した１原稿束に対する分割指定に応じて、前記メモリ手段の前記１原稿束の画像データを原稿頁間でグループに分割してグループ毎に順次に、画像データの読み出しおよび設定枚数の画像形成を行なう分割記録制御手段、を備える事を特徴とするデジタル複写機。
【請求項２】
前記デジタル複写機は、分割位置に隣接する原稿頁の入力により前記分割の位置を指定する分割位置指定手段を更に備え、前記分割記録制御手段は、該入力があった原稿頁の位置で前記メモリ手段の画像データをグループ区分する、請求項１に記載のデジタル複写機。
【請求項３】
原稿上の画像情報をデジタル的に読み取る読取手段と、該読取手段により得られた画像データを記憶するメモリ手段と、該メモリ手段に記憶された画像データに基づいて用紙上に画像情報を形成する画像形成手段を備え、前記メモリ手段に記憶された複数の原稿の画像データを順次読み出し、前記画像形成手段において各読み出し画像デ−タの画像形成を行う制御手段を有するデジタル複写機に於いて、
ソート指定があったときに読込み回数レジスタのデータをクリアし、前記読取手段で原稿を読取って前記メモリ手段に記憶するとき、ソート指定済である場合に、前記読込み回数レジスタのデータがクリアされているときには前記メモリ手段をクリアして前記読取手段が原稿を読取った画像データを前記メモリ手段に書込んで前記回数レジスタのデータを読み込み有りを表わすデータに更新し、前記読込み回数レジスタのデータが読み込み有りを表わすデータであるときには前記メモリ手段をクリアしないで前記読取手段が原稿を読取った画像データを前記メモリ手段に追記して１原稿束とし、前記読取手段で読取って前記メモリ手段に記憶した第１原稿束の画像データを読み出して前記画像形成手段によって設定枚数の画像形成を行ない、前記第１原稿束に原稿を追加する追加指定に応じて、前記読取手段により追加原稿の画像デ−タを得て前記メモリ手段の前記第１原稿束の画像デ−タに追記して両者を合せて１原稿束とし、前記メモリ手段の前記１原稿束の画像デ−タを読み出して前記画像形成手段によって設定枚数の画像形成を行う制御手段、を備える事を特徴とするデジタル複写機。
【請求項４】
前記メモリ手段に記憶された１原稿束の画像データの読み出し順を原稿頁単位で任意に変更するための読みだし制御手段を有する請求項１乃至請求項３のいずれかに記載のデジタル複写機。
【請求項５】
前記メモリ手段に記憶された１原稿束の画像データの一部を原稿頁単位で任意に選択し削除するための読みだし制御手段を有する請求項１乃至請求項４のいずれかに記載のデジタル複写機。
【発明の詳細な説明】
【０００１】
【産業上の利用分野】
本発明は、スキャナーで読み取った画像データをプリンターに出力するデジタル複写機に関し、より詳細には、メモリを使用した電子ソートコピーを行なうデジタル複写機に関する。
【０００２】
【従来の技術】
従来の電子ソート機能を備えたデジタル複写機として、例えば、内部に複数のページメモリを備えたものがある。このようなデジタル複写機では、スキャナで複数枚の原稿を順に読み取って画像デ−タを一旦１枚ないしは複数のページメモリに順次に記憶し、その後ページメモリから画像デ−タを読出してプリンタへ転送して画像形成を行う構成であり、１回の、１セットの原稿の読み取りで複数回の画像形成を繰り返して実行する事ができ、複写動作の高速化を図ることができる。このようなデジタル複写機では、あらかじめ読み込ませておいた、１セット複数枚の画像データを、読み込み順に読み出し、それぞれの画像形成を行う。この種の画像形成は例えば、特開昭５６−６４３５４号公報，特開昭５２−１０８８２２号公報，特開昭６３−１７１０６３号公報等に開示されている。
【０００３】
【発明が解決しようとする課題】
しかしながら、従来のこの種の電子ソートコピーでは、１つの原稿束に対し１つのソートコピー動作しか行う事ができず、１つの原稿束に対して複数種のソートが必要な場合には複数回の、画像読取を含むソートコピーを行う必要があり、画像読取が重複しコピー作業の効率が非常に悪いといった問題点があった。また、複数の原稿束間で共通の原稿がある場合も、原稿束それぞれにつき、画像読取を含むソ−トコピ−を行なう必要があり、共通の原稿について画像読取が重複しコピー作業の効率が悪いという問題もある。
【０００４】
本発明は、ソ−トコピ−作業の効率を向上することを第１の目的とし、１つの原稿束に対して複数種のソートが必要な場合の、重複する画像読取を省略することを第２の目的とし、複数の原稿束間で共通の原稿がある場合の重複する画像読取を省略することを第３の目的とする。
【０００５】
【課題を解決するための手段】
本発明は、原稿上の画像情報をデジタル的に読み取る読取手段と、該読取手段により得られた画像データを記憶するメモリ手段と、該メモリ手段に記憶された画像データに基づいて用紙上に画像情報を形成する画像形成手段を備え、前記メモリ手段に記憶された複数の原稿の画像データを順次読み出し、前記画像形成手段において各読み出し画像デ−タの画像形成を行う制御手段を有するデジタル複写機に於いて、
ソート指定があったときに読込み回数レジスタのデータをクリアし、前記読取手段で原稿を読取って前記メモリ手段に記憶するとき、ソート指定済である場合に、前記読込み回数レジスタのデータがクリアされているときには前記メモリ手段をクリアして前記読取手段が原稿を読取った画像データを前記メモリ手段に書込んで前記回数レジスタのデータを読み込み有りを表わすデータに更新し、前記読込み回数レジスタのデータが読み込み有りを表わすデータであるときには前記メモリ手段をクリアしないで前記読取手段が原稿を読取った画像データを前記メモリ手段に追記して１原稿束とする制御手段であって、
前記読取手段で読取って前記メモリ手段に記憶した１原稿束に対する分割指定に応じて、前記メモリ手段の前記１原稿束の画像データを原稿頁間でグループに分割してグループ毎に順次に、画像データの読み出しおよび設定枚数の画像形成を行なう分割記録制御手段（第１態様）、又は、
前記読取手段で読取って前記メモリ手段に記憶した第１原稿束の画像データを読み出して前記画像形成手段によって設定枚数の画像形成を行ない、前記第１原稿束に原稿を追加する追加指定に応じて、前記読取手段により追加原稿の画像デ−タを得て前記メモリ手段の前記第１原稿束の画像デ−タに追記して両者を合せて１原稿束とし、前記メモリ手段の前記１原稿束の画像デ−タを読み出して前記画像形成手段によって設定枚数の画像形成を行う制御手段（第２態様）、
を備える事を特徴とする。
【０００６】
【作用】
第１態様によれば、複数枚の原稿でなる原稿束を一括して画像読取りした後、分割記録制御手段で、該原稿束を任意に複数グル−プに区分した形の画像デ−タ区分で、各グル−プの画像デ−タの画像形成を順次に行なうことができる。原稿束を分割して再度画像読取りを行なう必要がないので、コピ−作業効率が向上する。
【０００７】
第２態様によれば、第１原稿束と第２原稿束に共通原稿がある場合、第１原稿束の画像読取りをした後、共通原稿を除外して第２原稿束の画像読取りをすることにより、第１原稿束のコピ−と、共通原稿を含む第２原稿束のコピ−を行なうことができ、共通原稿の画像読取りが１回で済むので、コピ−作業効率が向上する。
【０００８】
【実施例】
図１に本発明の一実施例のデジタル複写機の全体の概要を示す。このデジタル複写機は、大別して、原稿から画像データを読み込むスキャナ１００と、読み込んだ画像データを記録紙に記録するためのプリンタ２００と、スキャナ１００で読み取った画像データを記録する画像メモリ３００と、各種の複写モードおよび電子ソ−トの設定のための入力およびオペレータに対する表示などを行う操作部４５０と、複写機全体の制御及び原稿の画像データの読み取り及び書き込み指示を行うシステム制御装置５００とから構成されている。
【０００９】
スキャナ１００は、図２の概略図に示すように、原稿を中央基準でコンタクトガラス１０８上で搬送させ、原稿面を光源１１０で照射し、その反射光をレンズ１１１でＣＣＤ（電荷転送素子）１０１上に結像させてＣＣＤ１０１で読み取る。そしてＣＣＤ１０１から出力されるアナログ画像信号は、図１の増幅回路１０２で増幅されてＡ／Ｄ変換器１０３に入力され、Ａ／Ｄ変換器１０３でデジタル信号（以下このデジタル信号を画像データと記載する）に変換後、シェーディング補正回路１０４にてＣＣＤ１０１の感度ムラや、レンズ１１１などの光量分布の補正を行われ、その後画像処理回路１０５に入力して、ＭＴＦ補正や変倍処理、２値化などのさまざまな処理を施した後に画像メモリ３００に転送する。またスキャナ１００内のクロック発生部１０６では画像読み取り時に用いる制御用の信号を発生している。
【００１０】
図３に、各制御信号と原稿との関係を示す。制御信号には主走査方向の同期を取るための信号ＬＳＹＮＣと、主走査方向の最大読み取り有効領域を表す信号ＬＧＡＴＥと、ＬＧＡＴＥの開始を表す信号＊ＬＧＡＴＥＳＴと、原稿の副走査方向の有効領域を表す信号ＦＧＡＴＥと、図３には示していないが全体の基準となるクロック信号ＣＬＫなどがある。
【００１１】
画像メモリ３００には、スキャナ１００から同軸ケーブル７００を介して送られてきた画像データが入力される。この画像メモリ３００は後述するメモリ制御部３０１とメモリ部３０２とで構成されており、メモリの容量は４ＭｂｉｔのＤＲＡＭを６４個で、画像記憶容量としては原稿画像を４００ＤＰＩ（ドット／インチ）、２値で読み取った場合およそＡＯサイズ１枚分に相当する。
【００１２】
プリンタ２００は、基本的にはアナログ複写機と同じプロセス（ドラム廻り、搬送、分離、定着）を持つが、レーザー光を感光体ドラム２１３に照射する事により感光体ドラム２１３上に静電潜像を形成し現像して、記録紙上に複写画像を形成する。
【００１３】
次に画像メモリ３００について図４を使用して詳細に説明する。画像メモリ３００は前述のように実際に画像データを記録するメモリ部３０２とメモリ部３０２に対して書き込みアドレスや読み出しアドレスなどの制御を行うメモリ制御部３０１とに分かれており、メモリ制御部３０１は更に、画像データをメモリ部３０２のどの位置に書き込むかを制御する書き込み制御部３０３と、画像データをメモリ部３０２のどの位置から読み出すかを制御する読み出し制御部３０４と、書き込み，読み出しのアドレス計算、管理などメモリ部３０２に対する制御を司るメモリ制御３０５と、画像データをメモリ部３０２に書き込むか、そのままプリンタ２００に送信するかを切り換える画像データ切換部３０６に分かれている。
【００１４】
更に書き込み制御部３０３は、原稿の幅、すなわち画像データの主走査方向の有効領域を検知する原稿幅検知部３１０と原稿の長さ、すなわち画像データの副走査方向の有効領域を検知する原稿長検知部３２０と、メモリ部３０２へ書き込みアドレスを発生する書き込みアドレス発生部３３０と、書き込みアドレス発生部３３０へアドレスの初期値を設定する書き込みアドレス設定部３４０と、原稿長検知部３２０により検知された副走査方向の画像データ有効領域信号が有効である間、原稿の読み取りラインすなわちメモリ部３０２への書き込みラインをカウントする書き込みラインカウント部３５０とに分かれている。
【００１５】
そして読み出し制御部３０４は、プリンタ２００からの画像データ要求信号に応じて読み出し有効信号が有効である間、メモリ部３０２からの読み出しラインをカウントする読出しラインカウント部３７０と、メモリ部３０２に読み出しのアドレスを発生する読出アドレス発生部３９０と、読出アドレス発生部３９０に対してアドレスの初期設定を行う読出アドレス設定部３８０とに分かれている。システム制御装置５００は、いわゆるＣＰＵ及びＲＯＭ，ＲＡＭ，割り込みコントローラなどの周辺の装置から構成されており、ＲＯＭに格納されたプログラムに従って動作を行う。
【００１６】
図５に、スタ−ト指示が発っせられた後の、画像形成制御の内容を示す。これはシステム制御装置５００およびメモリ制御３０５により実行される。スタ−ト指示に応答して制御装置５００は原稿束（第１原稿束）の画像読取を行なう（ステップ１）。なお、以下、カッコ内にステップＮｏ．を表記するときは、「ステップ」という語を省略し、Ｎｏ．数字のみを記す。この画像読取の最初において、ソ−ト指定がないときには、画像メモリ３０２をクリアし、そしてその後の画像読取で発生する画像デ−タを順次画像メモリ３０２に書込む。ソ−ト指定があったときには、読込み回数レジスタのデ−タＮを参照して、それが０であると画像メモリ３０２をクリアしてＮを１とするが、Ｎが１以上であったときには画像メモリ３０２はクリアしないで、画像デ−タを画像メモリ３０２に追記する。なお、回数レジスタは、ソ−ト指定キ−が押されたときにクリアされてＮ＝０となる。  原稿束の画像読取を終了すると、制御装置５００は、操作部４５０に、画像メモリ３０２に読込まれている原稿の頁数を表示する（２）。
【００１７】
（Ａ）  そして、ソ−トが指定されているか否かをチェックして（３）、ソ−ト指定がないと制御装置５００は、メモリ３０２に読込んでいる画像デ−タの画像形成を、メモリ３０２に読込んだ順で行なう（４）。
【００１８】
（Ｂ）  ソ−ト指定があったときには制御装置５００は、操作部４５０にソ−トの内容を指示する入力をうながす表示をして、入力を読取る（６）。分割の場合は、分割指定，分割グル−プＮｏ．，グル−プの先頭頁Ｎｏ．および後尾頁Ｎｏ．が入力される。変更の場合には、変更指示，摘出頁Ｎｏ．（順番を変える原稿頁），挿入先頁Ｎｏ．（挿入位置直前の原稿頁）が入力される。削除の場合は、削除指定および削除頁が入力される。追加の場合は追加指定が入力される。
【００１９】
ソ−トの内容の入力があった後にスタ−ト指示があると制御装置５００は、ソ−トの内容をチェックする（８，１２，１４，１６）。
【００２０】
（Ｃ）  分割が指定されている場合には、分割された各グル−プの画像デ−タの画像形成を行なう（９〜１１）。この画像形成では、図６に示すように、例えば７枚の原稿を読込んでいて、第４頁と第５頁の間で２グル−プに分割されていると、第１グル−プ（第１〜４頁）の画像形成を設定枚数（コピ−部数）分行なった後に、第２グル−プ（第５〜７頁）の画像形成を設定枚数分行なう。
【００２１】
（Ｄ）  変更が指定されている場合は、変更内容に従って、変更後の順番で画像デ−タを画像メモリ３０２から読出して画像形成を行なう（１３）。
【００２２】
（Ｅ）  削除が指定されているときには、削除頁をとばして画像メモリ３０２から画像デ−タを読出して画像形成を行なう（１５）。
【００２３】
（Ｆ）  そして追加が指定されたときには制御装置５００はスタ−ト指示（第２原稿束の読取り指示）を待ち（７）、これが到来すると、ステップ７−８−１２−１４−１６と経て、原稿読取り（１）を実行する。このとき回数レジスタのデ−タＮが１以上であるので、読取った原稿の画像デ−タは画像メモリ３０２に追記する。すなわち、すでに書込まれている画像デ−タの次に、今回読取った画像デ−タを書込む。その後の処理は、上記（Ａ）〜（Ｅ）又はこの（Ｆ）となる。すなわち、第２回目のソ−ト入力読取り（６）で、分割，変更，削除および追加のいずれも指定されないと、制御装置５００は上記（Ａ）と同様に、メモリ３０２に読込んでいる画像デ−タの画像形成を、メモリ３０２に読込んだ順で行なう（５）。例えば、図７に示すように、ソ−ト指定をして第１原稿束（第１〜４頁）の原稿の画像デ−タをメモリ３０２に書込んだ後、第２回の画像読取りで第２原稿束（第５〜６頁）の画像読取をしたときに、図７に示すように、メモリ３０２に第１原稿束の画像デ−タに加えて第２原稿束の画像デ−タを追記するが、それを終えた後の、第２回のソ−ト入力読取り（６）で分割，変更，削除および追加のいずれも指定されないでスタ−ト指示が入力されると、メモリ３０２に読込んでいる画像デ−タ（第１〜７頁）の画像形成を、メモリ３０２に読込んだ順で行なう（５）。第２回のソ−ト入力読取り（６）で分割，変更又は削除が指定されると、メモリ３０２の画像デ−タ（図７の第１〜７頁）に対して、上述の（Ｃ），（Ｄ）又は（Ｅ）を行なう。第２回のソ−ト入力読取り（６）でまた追加が指定されると第３回の画像読取りを行なう。
【００２４】
以上の制御動作により、例えば、複数枚の原稿でなる原稿束を一括して画像読取りした後、分割記録制御手段で、該原稿束を任意に複数グル−プに区分した形の画像デ−タ区分で、各グル−プの画像デ−タの画像形成を順次に行なうことができる（図６）。この処理は追加（図７）を行なった後、第１原稿束（第１〜４頁）と第２原稿束（第５〜７頁）の全体に対して行なうことができる。原稿束を分割して再度画像読取りを行なう必要がないので、コピ−作業効率が向上する。また、例えば第１原稿束（第１〜４頁）と第２原稿束（第５，６，３，７頁）に共通原稿（第３頁）がある場合、ソ−ト指定をして第１原稿束（第１〜４頁）の画像読取りをした後スタ−ト指示を入力して第１原稿束の画像デ−タの画像形成（５）を実行し、第２回のソ−ト入力読取り（６）で追加を指定して第２原稿束（第５〜７頁）の画像デ−タを読込み（図７）、第３回のソ−ト入力読取り（６）で削除を指定して第１，２，４頁を削除し、かつ変更を指定して第３頁を第６頁と第７頁の間に移し、そしてスタ−ト指示を入力することにより、第５，６，３，７頁を１グル−プとする画像形成が行なわれる。共通頁の重複した画像読取りがなくなるので、コピ−作業効率が向上する。
【００２５】
また、上述の「変更」や「削除」の処理により、原稿を並べ変えて再度読みとらせる手間が省かれるので、コピ−作業の大幅な効率化が実現する。
【００２６】
【発明の効果】
複数の原稿束のソートコピーを行う際のコピ−作業効率が向上する。
【図面の簡単な説明】
【図１】本発明の一実施例の構成を示すブロック図である。
【図２】図１に示すスキャナ１００の機構概要を示すブロック図である。
【図３】図１に示すスキャナ１００の画像読取りに関連する制御信号を示すタイムチャ−トである。
【図４】図１に示す画像メモリ関連ブロック３００の構成を示すブロック図である。
【図５】図１に示すシステム制御装置５００の画像読取りおよび画像形成の制御動作の一部を示すフロ−チャ−トである。
【図６】図１に示す実施例において、一束の原稿を読込んだ後の、画像メモリ３０２上の、原稿頁単位の画像デ−タ区分を面展開して示す平面図である。
【図７】図１に示す実施例において、一束の原稿を読込んだ後の、画像メモリ３０２上の、原稿頁単位の画像デ−タ区分と、もう一束の原稿を読込んだ後の画像デ−タ区分を、面展開して示す平面図である。
【符号の説明】
１００：スキャナ                １０１：ＣＣＤ
１０７：原稿送りロ−ラ          １０８：コンタクトガラス
１０９：カバ−                  １１０：光源
１１１：レンズ                  １１２：原稿送りロ−ラ
７００：同軸ケ−ブル
【図１】
0003580374.tif 000002
【図２】
0003580374.tif 000003
【図３】
0003580374.tif 000004
【図４】
0003580374.tif 000005
【図５】
0003580374.tif 000006
【図６】
0003580374.tif 000007
【図７】
0003580374.tif 000008